(57)【要約】【課題】光源部からの光が突起部に照射されることに起因する影が、表示部上で視認されるのを抑制することが可能な表示装置を提供する。【解決手段】この表示装置１００は、表示部１と、表示部１の第１面１ａの側に配置されたリアフレーム５と、リアフレーム５の表示部１側に配置される点光源２と、拡散板１１と、リアフレーム５に配置され、拡散板１１に向かって突出するパネルポスト１３の第１部分１９と、第１部分１９から、第１面１ａと平行な（略平行な）断面において、断面に平行な（略平行な）方向に突出する第２部分２０ａおよび２０ｂとを備える。【選択図】図６
2017083541.tif 000002
【特許請求の範囲】
【請求項１】
表示部と、
前記表示部の第１面の側に配置され、底面部を有する筐体と、
前記底面部の前記表示部側に配置される光源部と、
光学部材と、
前記底面部に配置され、前記光学部材に向かって突出する突起部と、
前記突起部から、前記第１面と略平行な断面において、断面に略平行な方向に突出する突出部とを備える、表示装置。
【請求項２】
前記突出部は、互いに反対方向に突出する一対の突出部からなる、請求項１に記載の表示装置。
【請求項３】
前記突起部は、前記第１面と略平行な断面において、第１方向の幅、および、前記第１方向と直交する第２方向において、前記第１方向よりも小さい幅を有する形状であり、
前記突出部は、前記第１方向に突出する、請求項１または２に記載の表示装置。
【請求項４】
前記突起部は、前記第１面と略平行な断面において、矩形形状を有する、請求項１〜３のいずれか１項に記載の表示装置。
【請求項５】
前記突出部は、前記第１面と略平行な断面において、矩形形状を有する、請求項１〜４のいずれか１項に記載の表示装置。
【請求項６】
前記突出部は、前記第１面と略平行な断面において、突出方向に垂直な方向の厚みが、前記突出方向に徐々に小さくなる形状を有する、請求項１〜３のいずれか１項に記載の表示装置。
【請求項７】
前記突出部は、前記光学部材から所定の範囲以内に設けられている、請求項１〜６のいずれか１項に記載の表示装置。
【発明の詳細な説明】
【技術分野】
【０００１】
この発明は、表示装置に関し、特に、光学部材に向かって突出する突起部を備えた表示装置に関する。
【背景技術】
【０００２】
従来、光学部材に向かって突出する突起部を備えた表示装置が知られている（たとえば、特許文献１参照）。
【０００３】
上記特許文献１には、バックライト用の支持部材を備えた表示装置が開示されている。この表示装置は、光源と、光拡散板と、光拡散板に向かって突出するとともに光拡散板を支持する支持部材とを備える。支持部材は、透明材質により形成されているとともに、一定の厚みを有する平板状に形成されている。これにより、この上記特許文献１の表示装置は、光源から支持部材に照射された光が支持部材を透過するように構成されている。
【先行技術文献】
【特許文献】
【０００４】
【特許文献１】特開２０１３―１６１７９３号公報
【発明の概要】
【発明が解決しようとする課題】
【０００５】
しかしながら、上記特許文献１の表示装置では、支持部材は、一定の厚みを有する平板状に形成されているため、支持部材の内部に入射した光の一部は、平板状の支持部材の側端面の内側の面で反射されると考えられる。このため、光拡散板（光学部材）上では、光が支持部材（突起部）の側端面の内側の面で反射されることに起因して光量が小さくなる部分が生じる。すなわち、光学部材上で、影が生じる場合がある。これにより、表示部上で影が視認される場合があるという問題点があると考えられる。
【０００６】
この発明は、上記のような課題を解決するためになされたものであり、この発明の１つの目的は、光源部からの光が突起部に照射されることに起因する影が、表示部上で視認されるのを抑制することが可能な表示装置を提供することである。
【課題を解決するための手段】
【０００７】
上記目的を達成するために、この発明の一の局面による表示装置は、表示部と、表示部の第１面の側に配置され、底面部を有する筐体と、底面部の表示部側に配置される光源部と、光学部材と、底面部に配置され、光学部材に向かって突出する突起部と、突起部から、第１面と略平行な断面において、断面に略平行な方向に突出する突出部とを備える。なお、光学部材とは、偏光フィルムなどの光学シート（光学部材）に限らず、拡散板などを含む、より広い概念の光学部材を表す。
【０００８】
この発明の一の局面による表示装置では、上記のように、表示装置に、突起部から、第１面と略平行な断面において、断面に略平行な方向に突出する突出部を設けることにより、突出部を突起部に設けない場合に比べて、突起部の側端面を小さく構成することができる。これにより、光源部から照射され、突起部に入光する光のうち、突起部の側端面の内側の面で反射される光の量を小さくすることができる。そして、光学部材上で、光が突起部の側端面の内側の面で反射されることに起因して光量が小さくなる部分が生じるのを抑制することができる。その結果、光源部からの光が突起部に照射されることに起因する影が、表示部上で視認されるのを抑制することができる。
【０００９】
上記一の局面による表示装置では、好ましくは、突出部は、互いに反対方向に突出する一対の突出部からなる。このように構成すれば、突出部を、突起部の一方側のみに設ける場合に比べて、効果的に影が表示部上で視認されるのを抑制することができる。
【００１０】
上記一の局面による表示装置では、好ましくは、突起部は、第１面と略平行な断面において、第１方向の幅、および、第１方向と直交する第２方向において、第１方向よりも小さい幅を有する形状であり、突出部は、第１方向に突出する。このように構成すれば、突出部の突出方向の外縁部を含む側端面の第２方向の幅を、突起部の第１方向の幅より小さく、かつ、突起部の第２方向の幅よりも小さく形成することができる。これにより、突出部の側端面の幅が小さくなる分、影が表示部上で視認されるのを抑制することができる。また、突起部の第１方向の幅を比較的大きくすることにより、突起部の強度を比較的大きくすることができる。その結果、突起部の強度を確保しながら、影が表示部上で視認されるのを抑制することができる。
【００１１】
上記一の局面による表示装置では、好ましくは、突起部は、第１面と略平行な断面において、矩形形状を有する。このように構成すれば、円弧状を有するように突起部を形成する場合と異なり、光源部からの光は、突起部を透過することにより略屈折されないので、光が突起部により屈折されることに起因する光学部材上の光量のばらつきを抑制することができる。その結果、光源部からの光が突起部に照射されることに起因する影が、表示部上で視認されるのを、確実に抑制することができる。
【００１２】
上記一の局面による表示装置では、好ましくは、突出部は、第１面と略平行な断面において、矩形形状を有する。このように構成すれば、円弧状を有するように突出部を形成する場合と異なり、光源部からの光は、突出部を透過することにより略屈折されないので、光が突出部により屈折されることに起因する光学部材上の光量のばらつきを抑制することができる。その結果、光源部からの光が突出部に照射されることに起因する影が、表示部上で視認されるのを、より確実に抑制することができる。
【００１３】
上記一の局面による表示装置では、好ましくは、突出部は、第１面と略平行な断面において、突出方向に垂直な方向の厚みが、突出方向に徐々に小さくなる形状を有する。このように構成すれば、突出部の突出方向とは反対側の厚みを比較的大きく形成しながら、突出部の突出方向側の厚みを比較的小さく形成することができるので、厚みの大きな突出方向とは反対側の突出部の部分により、突出部の強度を確保しながら、突出部の突出方向の側端面の厚み（幅）を小さくすることができる。その結果、突出部の強度を確保しながら、影が表示部上で視認されるのを抑制することができる。
【００１４】
上記一の局面による表示装置では、好ましくは、突出部は、光学部材から所定の範囲以内に設けられている。ここで、光源部からの光が突起部に照射されることに起因する影は、光学部材上の突起部の近傍において生じる場合が多い。すなわち、光源部からの光が突起部の比較的光学部材側に入光して突起部から出射した光によって生じた影が視認される場合が多い。この点を考慮して、本発明では、突出部を、光学部材から所定の範囲以内に設けることにより、光学部材上で比較的影が生じやすい部分において影が生じるのを抑制することができるので、光源部からの光が突起部に照射されることに起因する影が、表示部上で視認されるのを、効果的に抑制することができる。
【発明の効果】
【００１５】
本発明によれば、上記のように、光源部からの光が突起部に照射されることに起因する影が、表示部上で視認されるのを抑制することができる。
【図面の簡単な説明】
【００１６】
【図１】本発明の第１実施形態による液晶テレビジョン装置の全体構成を示した斜視図である。
【図２】本発明の第１実施形態による液晶テレビジョン装置の全体の構成を示した背面図である。
【図３】本発明の第１実施形態による液晶テレビジョン装置の分解斜視図である。
【図４】本発明の第１実施形態による反射シートを矢印Ｙ１方向側から見た図である。
【図５】本発明の第１実施形態によるパネルポストの矢印Ｚ２方向側から見た図である。
【図６】図５における４００−４００線に沿った断面図である。
【図７】本発明の第１実施形態によるパネルポストの構成を示した斜視図（１）である。
【図８】本発明の第１実施形態によるパネルポストの構成を示した斜視図（２）である。
【図９】本発明の第１実施形態によるパネルポストの斜面部に照射される光の経路を説明するための図である。
【図１０】本発明の第１実施形態によるパネルポストの拡散板側を矢印Ｘ１方向側から見た図である。
【図１１】本発明の第１実施形態による液晶テレビジョン装置の拡散板に生じる影を模式的に示した図（１）である。
【図１２】本発明の第１実施形態による液晶テレビジョン装置の構成の一部を示した断面図である。
【図１３】比較例による表示装置の拡散板に生じる影を模式的に示した図（１）である。
【図１４】比較例による表示装置の拡散板に生じる影を模式的に示した図（２）である。
【図１５】本発明の第１実施形態による液晶テレビジョン装置の拡散板に生じる影を模式的に示した図（２）である。
【図１６】本発明の第２実施形態によるパネルポストの構成を示した斜視図である。
【図１７】本発明の第２実施形態によるパネルポストの矢印Ｚ２方向側から見た図である。
【図１８】本発明の第２実施形態による液晶テレビジョン装置の拡散板に生じる影を模式的に示した図である。
【図１９】本発明の第３実施形態によるパネルポストの斜視図である。
【図２０】本発明の第１〜第３実施形態の第１変形例によるパネルポストの断面図である。
【図２１】本発明の第１〜第３実施形態の第２変形例によるパネルポストの断面図である。
【図２２】本発明の第１〜第３実施形態の第３変形例によるパネルポストの断面図である。
【図２３】本発明の第１〜第３実施形態の第４変形例によるパネルポストの断面図である。
【図２４】本発明の第１〜第３実施形態の第５変形例によるパネルポストの断面図である。
【図２５】本発明の第１〜第３実施形態の第６変形例によるパネルポストの断面図である。
【図２６】本発明の第１〜第３実施形態の第７変形例によるパネルポストの断面図である。
【図２７】本発明の第１〜第３実施形態の第８変形例による表示装置の点光源の配置位置およびパネルポストの配置位置を示す図である。
【図２８】本発明の第１〜第３実施形態の第９変形例による表示装置の点光源の配置位置およびパネルポストの配置位置を示す図である。
【発明を実施するための形態】
【００１７】
以下、本発明の実施形態を図面に基づいて説明する。
【００１８】
［第１実施形態］
（表示装置の構成）
図１〜図１２を参照して、本発明の第１実施形態による液晶テレビジョン装置１００の構成について説明する。なお、液晶テレビジョン装置１００は、特許請求の範囲の「表示装置」の一例である。
【００１９】
〈液晶テレビジョン装置の全体構成〉
本発明の第１実施形態による液晶テレビジョン装置１００には、図１に示すように、表示部１が設けられている。表示部１は、液晶セルからなり映像が表示可能に構成されている。なお、以下の説明において、液晶テレビジョン装置１００の表示部１に対向する位置から見て、左方向を矢印Ｘ１方向、右方向を矢印Ｘ２方向、正面方向（手前方向）を矢印Ｙ１方向、背面方向を矢印Ｙ２方向、上方向を矢印Ｚ１方向、下方向を矢印Ｚ２方向として説明する。なお、本願明細書では、表示部１における第１面１ａ（ＸＺ平面）（背面）を、特許請求の範囲の「第１面」の一例として記載している。そして、Ｘ軸に沿った方向を、特許請求の範囲の「第１方向」の一例として、Ｚ軸に沿った方向を、特許請求の範囲の「第２方向」の一例として記載している。
【００２０】
そして、液晶テレビジョン装置１００は、矢印Ｙ２方向側に設けられた点光源２（図３参照）をバックライトとして表示部１に映像を表示する直下型液晶モジュールとして構成可能である。なお、点光源２は、特許請求の範囲の「光源部」の一例である。
【００２１】
図１および図２に示すように、液晶テレビジョン装置１００には、前部筐体３とスタンド部材４とリアフレーム５とカバー部材６とが設けられている。なお、前部筐体３は、特許請求の範囲の「筐体」の一例である。また、リアフレーム５は、特許請求の範囲の「筐体」および「底面部」の一例である。
【００２２】
前部筐体３は、たとえば、樹脂により形成されている。そして、前部筐体３は、表示部１を矢印Ｙ１方向側から支持するように構成されている。また、前部筐体３の中央部には、表示部１を矢印Ｙ１方向側に露出させるための矩形状の開口部３ａが設けられている。
【００２３】
スタンド部材４は、樹脂により形成されている。そして、スタンド部材４は、液晶テレビジョン装置１００全体を矢印Ｚ２方向側から支持するように構成されている。
【００２４】
リアフレーム５は、たとえば、金属により形成されており、矢印Ｙ２方向に窪む凹形状に形成されている。そして、リアフレーム５は、表示部１の第１面１ａの側に配置されている。また、リアフレーム５は、前部筐体３と矢印Ｙ２方向側から組み合わされるように構成されている。そして、リアフレーム５は、前部筐体３に固定されている。また、図３に示すように、リアフレーム５には、パネルポスト１３を取り付けるための２つの第１開口部５ａと２つの第２開口部５ｂとが設けられている。
【００２５】
カバー部材６は、たとえば、樹脂により形成されており、図２に示すように、リアフレーム５よりも小さい大きさにより形成されている。そして、カバー部材６は、リアフレーム５の矢印Ｙ２方向側に配置されている。また、カバー部材６は、リアフレーム５の背面（矢印Ｙ２方向側の面）に配置される電源基板や信号処理基板などの種々の基板（図示せず）を覆うように設けられている。また、カバー部材６は、リアフレーム５に固定されている。
【００２６】
図３に示すように、液晶テレビジョン装置１００は、点光源２と、ヒートシンク７と、基板８と、光源レンズ９と、反射シート１０と、拡散板１１と、偏光フィルタ１２と、パネルポスト１３とを含む。なお、光源レンズ９は、特許請求の範囲の「光源部」の一例である。また、拡散板１１および偏光フィルタ１２は、特許請求の範囲の「光学部材」の一例である。また、パネルポスト１３は、特許請求の範囲の「突起部」および「突出部」の一例である。
【００２７】
点光源２は、たとえば、ＬＥＤ（Ｌｉｇｈｔ  Ｅｍｉｔｔｉｎｇ  Ｄｉｏｄｅ）により構成されている。点光源２は、リアフレーム５の表示部１側（矢印Ｙ１方向側）に配置されており、表示部１側（矢印Ｙ１方向側）に光を照射するように構成されている。
【００２８】
ヒートシンク７は、たとえば、金属（板金）により構成されており、拡散板１１側（矢印Ｙ１方向側）に凸部を有するように形成されている。そして、ヒートシンク７は、たとえば、２つ設けられており、リアフレーム５の矢印Ｙ１方向側に、Ｚ方向に間隔を隔てて並列して配置されている。
【００２９】
基板８は、２つ設けられており、それぞれヒートシンク７の表面に配置されている。そして、基板８の表面には、それぞれ、点光源２が８個ずつ基板８の延びる方向（Ｘ方向）に沿って、互いに間隔を隔てて実装されている。
【００３０】
光源レンズ９は、基板８に配置されている点光源２を矢印Ｙ１方向側から覆うように点光源２に対してそれぞれ配置されている。そして、光源レンズ９は、アクリルなどの樹脂により構成されており、点光源２からの出射光を所定の配光角を有する状態で出射するように構成されている。また、光源レンズ９は、基板８の表面に接着されることにより、基板８に固定されている。
【００３１】
反射シート１０は、リアフレーム５と拡散板１１との間に設けられており、点光源２からの光を反射するように構成されている。具体的には、反射シート１０は、たとえば、樹脂（好ましくは、ＰＥＴ（Ｐｏｌｙｅｔｈｙｌｅｎｅｔｅｒｅｐｈｔａｌａｔｅ））により形成されている。そして、反射シート１０は、基板８の表面上に配置された状態で、リアフレーム５に沿った形状（矢印Ｙ２方向側に窪む凹形状）を有するように構成されている。具体的には、反射シート１０は、Ｘ方向に延びる長方形形状を有する反射シート底面部１０ａと、反射シート底面部１０ａの４辺を取り囲むように配置される４つの反射シート斜面部１０ｂとを含む。
【００３２】
反射シート底面部１０ａは、拡散板１１および偏光フィルタ１２に対して平行に延びるように形成されている。また、反射シート斜面部１０ｂは、反射シート底面部１０ａの端部からリアフレーム５の縁部に向かって傾斜して延びるように形成されている。
【００３３】
また、図４に示すように、反射シート底面部１０ａには、１６個（８個×２列）の点光源２（光源レンズ９）の配置位置に対応する位置にそれぞれ光源用開口部１０ｃが設けられている。また、反射シート底面部１０ａには、２つのパネルポスト１３の配置位置に対応する位置にそれぞれパネルポスト用開口部１０ｄが２つ設けられている。
【００３４】
図３に示すように、拡散板１１は、たとえば、樹脂等により形成されており、Ｚ方向およびＸ方向に平行な（略平行な）平面に広がる平板状に形成されている。また、拡散板１１は、表示部１と点光源２との間に配置されており、点光源２からの光を拡散するように構成されている。
【００３５】
偏光フィルタ１２は、拡散板１１と同様の平板状を有し、Ｚ方向およびＸ方向に平行な（略平行な）平面に広がるように形成されている。そして、偏光フィルタ１２は、拡散板１１と表示部１との間に配置されており、拡散板１１を透過した光の偏光方向を揃えて表示部１へ出射するように構成されている。また、表示部１は、偏光フィルタ１２から出射された偏光方向を揃えられた光に対して、表示部１に含まれる液晶の透過率を変化させることなどにより、画像の表示が行われるように構成されている。
【００３６】
〈パネルポストの構成〉
パネルポスト１３は、点光源２からの光を透過する材料により形成されている。たとえば、パネルポスト１３は、透明な樹脂材料（たとえば、ＰＣ（ポリカーボネート））により形成されている。そして、図５に示すように、パネルポスト１３は、平板部１４と底側突出部１５と基台部１６と接続部１７と頂部１８とを含む。また、パネルポスト１３（第１部分１９）は、リアフレーム５に取り付けられ（配置され）、拡散板１１に向かって突出している。
【００３７】
平板部１４は、図６および図７に示すように、ＸＹ平面に平行な（略平行な）面上に広がる平板面１４ａおよび１４ｂを有する平板状に形成されている。なお、平板部１４は、特許請求の範囲の「突起部」および「突出部」の一例である。
【００３８】
ここで、第１実施形態では、図６に示すように、平板部１４は、第１部分１９と、第２部分２０ａおよび２０ｂとを含む。第１部分１９は、拡散板１１側から見て（矢印Ｙ１方向側から見て）平板部１４のＸ方向の中央部に設けられている。また、第２部分２０ａおよび２０ｂは、平板部１４の外縁１４ｃ（図７参照）を含む。
【００３９】
第１部分１９は、第１面１ａ（ＸＺ平面）と平行な（略平行な）断面において、矩形形状を有する。また、第２部分２０ａおよび２０ｂは、それぞれ、第１面１ａ（ＸＺ平面）と平行な（略平行な）断面において、矩形形状を有する。
【００４０】
また、第１実施形態では、図６に示すように、平板部１４は、第１部分１９と、第２部分２０ａおよび２０ｂとを含む。第１部分１９は、第１面１ａ（ＸＺ平面）と平行な断面において、Ｘ軸に平行な方向の幅Ｗ２と、Ｙ軸に平行な方向の幅（厚み）ｔ１を有する形状であり、厚みｔ１は、幅Ｗ２よりも小さい。第２部分２０ａおよび２０ｂは、Ｘ軸に平行な（略平行な）方向に、互いに反対方向（第２部分２０ａは矢印Ｘ１方向、第２部分２０ｂは矢印Ｘ２方向）に突出する。
【００４１】
また、図６に示すように、第１部分１９の矢印Ｘ１方向側および矢印Ｘ２方向側の両側に設けられた第２部分２０ａおよび２０ｂは、パネルポスト１３の外縁１４ｃを含む。そして、Ｚ軸に平行な方向において、第２部分２０ａおよび２０ｂの幅（厚み）ｔ２は、第１部分１９の幅（厚み）ｔ１よりも小さい。また、好ましくは、厚みｔ２は、厚みｔ１の略２分の１の大きさに設定されている。たとえば、厚みｔ１は、約１．６ｍｍ、厚みｔ２は、約０．８ｍｍに設定されている。
【００４２】
また、第１実施形態では、第２部分２０ａおよび２０ｂは、Ｘ方向において、第１部分１９を挟むように設けられている。すなわち、第２部分２０ａは、平板部１４において、第１部分１９の矢印Ｘ１方向側に配置されており、第２部分２０ｂは、平板部１４において、第１部分１９の矢印Ｘ２方向側に配置されている。
【００４３】
また、第１実施形態では、平板部１４の平板面１４ａ側（矢印Ｚ２方向側）に、段差２１ａおよび２１ｂが設けられており、平板部１４の平板面１４ｂ側（矢印Ｚ１方向側）に、段差２１ｃおよび２１ｄが設けられている。すなわち、段差が、平板部１４の平板面１４ａおよび１４ｂの両方に設けられている。そして、第１部分１９と第２部分２０ａとは、矢印Ｚ２方向側において、段差２１ａおよび２１ｂを介して接続されており、第１部分１９と第２部分２０ｂとは、矢印Ｚ１方向側において、段差２１ｃおよび２１ｄを介して接続されている。
【００４４】
第１部分１９は、図７および図８に示すように、平板面１４ａのうちのＸ方向における中央部の面である一方表面１９ａと、平板面１４ｂのうちのＸ方向における中央部の面である他方表面１９ｂとを含む。そして、第１部分１９は、図５に示すように、拡散板１１側（矢印Ｙ１方向側）にＸ方向の長さである幅Ｗ１を有し、矢印Ｚ２方向側から見て矩形形状を有する部分と、拡散板１１とは反対側（矢印Ｙ２方向側）に幅Ｗ２を有し、矢印Ｚ２方向側から見て矩形形状を有する部分とを含む。また、幅Ｗ１を有する部分と、幅Ｗ２を有する部分との間には、矢印Ｚ２方向側から見て拡散板１１側に先細りする略三角形形状を有する部分が設けられている。なお、幅Ｗ１と幅Ｗ２とは、Ｗ１＜Ｗ２の関係を有する。
【００４５】
第１部分１９の幅Ｗ１を有する部分は、第１部分１９の拡散板１１側（矢印Ｙ１方向側）に配置されており、頂部１８の矢印Ｙ２方向側に接続されている。
【００４６】
第１部分１９の幅Ｗ２を有する部分は、第１部分１９の幅Ｗ１を有する部分と下部平板部２２との間に設けられている。
【００４７】
また、図５に示すように、平板部１４の第１部分１９と第２部分２０ａおよび２０ｂとの矢印Ｙ２方向側には、下部平板部２２が設けられている。下部平板部２２は、厚みｔ１を有するとともに幅Ｗ３を有するように構成されている。なお、幅Ｗ３と幅Ｗ２とは、Ｗ３＞Ｗ２の関係を有する。
【００４８】
ここで、第１実施形態では、図９に示すように、第１部分１９（幅Ｗ２を有する部分）には、平板部１４の平板面１４ａに対して傾斜角θを有する傾斜面２３が設けられている。傾斜面２３は、点光源２からの光を、パネルポスト１３の内部で拡散板１１側に反射するように構成されている。また、傾斜面２３は、図５に示すように、Ｘ方向に幅Ｗ４を有し、頂部１８の頂点１８ａから距離Ｄ１の位置に配置されている。なお、傾斜面２３は、傾斜面２３の幅Ｗ４が、頂部１８の半球形状部１８ｂの直径ｄよりも大きくなるように形成されている。すなわち、幅Ｗ４と直径ｄとは、Ｗ４＞ｄの関係を有する。また、距離Ｄ１は、後述する点Ｃ１と拡散板１１との間のＹ方向の距離である距離Ｄ３よりも大きい。
【００４９】
図９に点光源２から照射された光Ｐの経路を示す。傾斜面２３は、点光源２からの光Ｐが、平板面１４ｂから入光した場合には、光Ｐを拡散板１１側（矢印Ｙ１方向側）に反射するように構成されている。また、傾斜面２３の傾斜角θは、傾斜面２３により反射された光Ｐが、パネルポスト１３の平板面１４ａの内側と平板面１４ｂの内側において、繰り返し全反射されながら、頂部１８に導光されるように設定されている。なお、上記のパネルポスト１３の内側で光を繰り返し全反射させるような傾斜角θは、パネルポスト１３に最も近接して配置される点光源２（最近接点光源２ａ）から照射される光Ｐの照射角度と、パネルポスト１３の材料の光の屈折率などに基づくことにより設定（設計）することが可能である。
【００５０】
ここで、第１実施形態では、図５に示すように、第２部分２０ａおよび２０ｂは、略一定の幅（幅Ｗ５および幅Ｗ６）を有した状態で、平板部１４の外縁１４ｃに沿って設けられている。具体的には、第２部分２０ａは、側端面２０ｃ（外縁１４ｃ）から第１部分１９の幅Ｗ２を有する部分までの距離に対応する大きさである幅Ｗ５を有する部分と、側端面２０ｃ（外縁１４ｃ）から第１部分１９の略三角形形状を有する部分までの距離に対応する大きさである幅Ｗ６を有する部分とを含む。第２部分２０ｂは、第２部分２０ａと同様に、幅Ｗ５を有する部分と、幅Ｗ６を有する部分とを含む。また、幅Ｗ５と幅Ｗ６とは略等しい大きさである。
【００５１】
また、図１０に示すように、段差２１ａおよび２１ｃは、共に、厚みｔ１から厚みｔ２を差分した大きさの略２分の１の大きさである幅Ｗ７を有する。すなわち、上記したように、厚みｔ２が厚みｔ１の略２分の１の大きさである場合には、幅Ｗ７の大きさは、厚みｔ１の略４分の１の大きさに設定される。また、段差２１ｂおよび２１ｄは、段差２１ａおよび２１ｃと同様に、幅Ｗ７を有するように構成されている。
【００５２】
図４に示すように、パネルポスト１３は、４つの点光源２とそれぞれ間隔Ｄ２を有する位置に配置されている。また、上記４つの点光源２は、他の点光源２よりも最もパネルポスト１３に近接して配置されている点光源２であり最近接点光源２ａである。この場合、図１１に示すように、拡散板１１上では、最近接点光源２ａからの光がパネルポスト１３に照射されることにより生じる影は、最近接点光源２ａから直接パネルポスト１３に照射し、その透過光が直接拡散板１１に照射する範囲である領域Ｒ内に生じやすい。たとえば、領域Ｒは、パネルポスト１３から半径ｒを有する円形状を有する。すなわち、パネルポスト１３の影は透過光の一部が屈折または反射されることで発生するので、領域Ｒ内の影が比較的目立ちやすくなる。
【００５３】
すなわち、図１２に示すように、最近接点光源２ａからパネルポスト１３に照射された光のうち、最近接点光源２ａと領域Ｒの外縁の一点である点Ｒ１とを結ぶ線分よりも拡散板１１側（矢印Ｙ１方向側）のパネルポスト１３の部分に入光して出射した光に起因して、影が生じる。
【００５４】
ここで、第１実施形態では、第２部分２０ａおよび２０ｂは、拡散板１１から矢印Ｙ２方向に距離Ｄ４を有する範囲以内に設けられている。すなわち、第２部分２０ａおよび２０ｂは、平板部１４のうちの少なくとも拡散板１１側（矢印Ｙ１方向側）に設けられている。第２部分２０ａおよび２０ｂは、平板部１４のうちの少なくとも拡散板１１側（矢印Ｙ１方向側）に設けられている。すなわち、第２部分２０ａおよび２０ｂは、最近接点光源２ａと点Ｒ１とを結ぶ線分よりも拡散板１１側（矢印Ｙ１方向側）のパネルポスト１３の部分を含むように設けられている。また、最近接点光源２ａと点Ｒ１とを結ぶ線分と、パネルポスト１３とが交わる箇所を点Ｃ１として、点Ｃ１と拡散板１１とのＹ方向の距離を距離Ｄ３とする。拡散板１１から第２部分２０ａおよび２０ｂの矢印Ｙ２方向の下端Ｃ２までのＹ方向の距離を距離Ｄ４とする。この場合、距離Ｄ３および距離Ｄ４は、Ｄ４＞Ｄ３の関係を有する。なお、拡散板１１から矢印Ｙ２方向に距離Ｄ４を有する範囲は、特許請求の範囲の「所定の範囲」の一例である。
【００５５】
底側突出部１５は、第１底側突出部１５ａおよび第２底側突出部１５ｂを含む。図５に示すように、第１底側突出部１５ａおよび第２底側突出部１５ｂは、基台部１６の矢印Ｙ２方向側の表面から矢印Ｙ２方向側に突出するように設けられている。図１２に示すように、第１底側突出部１５ａは、リアフレーム５の第１開口部５ａに篏合して係止されるとともに、第２底側突出部１５ｂは、リアフレーム５の第２開口部５ｂに篏合するように構成されている。そして、第１底側突出部１５ａが第１開口部５ａに係止されることにより、パネルポスト１３が固定されるとともに、第２底側突出部１５ｂが第２開口部５ｂに篏合することにより、パネルポスト１３が回転するのが抑制され、パネルポスト１３の設置方向が定まる。
【００５６】
図７および図８に示すように、基台部１６は、平板部１４（接続部１７）の矢印Ｙ２方向側（拡散板１１とは反対側）に設けられ、ＸＺ平面に平行な（略平行な）面上に広がるような平板状に形成されている。
【００５７】
接続部１７は、平板部１４と基台部１６との間に配置されており、平板部１４と基台部１６とを滑らかに接続するように形成されている。接続部１７は、パネルポスト１３の内側方向に窪む円弧状を有し、矢印Ｙ１方向側から基台部１６側に向かって徐々に幅および厚みが大きくなるように、基台部１６の矢印Ｙ１方向側の面に滑らかに接続されている。
【００５８】
ここで、第１実施形態では、図１０に示すように、頂部１８は、パネルポスト１３において、平板部１４とは別個に設けられており、平板部１４の拡散板１１側（矢印Ｙ１方向側）に設けられ、拡散板１１が広がるＸＺ平面に対して略垂直方向（Ｙ方向）に延びる円柱形状を有する。
【００５９】
具体的には、頂部１８は、点光源２からの光を透過する材料により形成されており、半球形状部１８ｂと柱状部１８ｃとを含む。
【００６０】
柱状部１８ｃは、直径ｄを有するとともに、Ｙ方向に延びる円柱形状に形成されており、平板部１４の矢印Ｙ１方向側に接続されている。また、直径ｄの大きさは、平板部１４の厚みｔ１と略等しい大きさである。
【００６１】
半球形状部１８ｂは、柱状部１８ｃの矢印Ｙ１方向側に設けられ、矢印Ｙ１方向側に円弧を有するとともに直径ｄを有する略半球形状に形成されている。そして、半球形状部１８ｂは、拡散板１１に点接触するように配置されている。
【００６２】
（比較例による表示装置との比較結果）
次に、図１１および図１３を参照して、第１実施形態による液晶テレビジョン装置１００と比較例による表示装置との拡散板上における影の生じ具合の比較に関する実験結果について説明する。
【００６３】
比較例による表示装置は、拡散板に接触する（を支持する）突起部として、一定の厚みｔ１を有する平板状に形成されているパネルポストを含むように構成した。なお、このパネルポストは、第２部分２０ａおよび２０ｂのような厚みｔ２の部分を含んでいない。そして、パネルポストを４つの点光源から距離Ｄ２の位置に配置した状態で、点光源を点灯して、拡散板上に生じる影の生じ具合を目視により観察する実験を行った。
【００６４】
実験の結果、比較例による表示装置では、４つの点光源からパネルポストに照射される方向に向かって、領域Ｒ内で、パネルポストから広がるように４つの影が観測された。なお、図１３は、実験の際に拡散板上に生じた影の様子を模式的に示した（ハッチングにより示した）図である。
【００６５】
また、第１実施形態による液晶テレビジョン装置１００においても、拡散板１１上に生じる影の生じ具合を目視により観察する実験を行った。
【００６６】
実験の結果、図１１に示すように、第１実施形態による液晶テレビジョン装置１００では、４つの点光源２からパネルポスト１３に照射される方向に向かって、領域Ｒ内で、４つの影が観測されたものの比較例による表示装置において生じた影よりも、薄い影が生じた。なお、図１１は、実験の際に拡散板１１上に生じた影の様子を模式的に示した（ハッチングにより示した）図である。
【００６７】
以上の結果、第１実施形態による液晶テレビジョン装置１００では、比較例による表示装置に比べて、点光源２からの光がパネルポスト１３に照射されることに起因する影が、拡散板１１上（表示部１上）で視認されるのが抑制されることが判明した。
【００６８】
次に、図１４および図１５を参照して、上記の実験結果が得られた原理について説明する。
【００６９】
図１４には、比較例による表示装置において、光源Ａからの光が、パネルポストの側端面の内側に照射されることに起因して生じる影を、ハッチング表示している。図１５には、第１実施形態による液晶テレビジョン装置１００において、点光源１０２ａからの光が、パネルポスト１３の側端面（１４ｃ、２１ｂおよび２１ｄ）の内側に照射されることに起因して生じる影を、ハッチング表示している。
【００７０】
図１４に示すように、比較例による表示装置では、パネルポストの側端面から生じた影は、分散されない。
【００７１】
一方、図１５に示すように、第１実施形態による液晶テレビジョン装置１００では、パネルポスト１３の側端面（１４ｃ、２１ｂおよび２１ｄ）から生じた影は、分散される。したがって、影の総量としては、比較例による表示装置と同じであっても、影が分散されるので、拡散板１１上（表示部１上）では、薄い影になる。
【００７２】
［第１実施形態の効果］
第１実施形態では、以下のような効果を得ることができる。
【００７３】
第１実施形態では、上記のように、第１部分１９から、第１面１ａと平行な（略平行な）断面において、断面に平行な（略平行な）方向に突出する第２部分２０ａおよび２０ｂを設けることにより、第１部分２０ａおよび２０ｂを第１部分に設けない場合に比べて、第２部分２０ａおよび２０ｂの外縁１４ｃ（側端面）を小さく構成することができる。すなわち、第２方向において、第２部分２０ａおよび２０ｂの幅（厚み）ｔ２を、第１部分１９の幅（厚み）ｔ１よりも小さくすることができる。これにより、第２部分２０ａおよび２０ｂを有する平板部１４の側面の厚みが比較的小さくなる分、パネルポスト１３の外縁１４ｃに設けられる側端面２０ｃおよび２０ｄを小さくすることができる。これにより、点光源２から照射された光がパネルポスト１３に入光する光のうち、パネルポスト１３の側端面２０ｃおよび２０ｄの内側の面で反射される光の量を小さくすることができる。そして、拡散板１１上で、光がパネルポスト１３の側端面２０ｃおよび２０ｄの内側の面で反射されることに起因して光量が小さくなる部分が生じるのを抑制することができる。その結果、点光源２からの光がパネルポスト１３に照射されることに起因する影が、表示部１上で視認されるのを抑制することができる。
【００７４】
また、第１実施形態では、上記のように、一対の第２部分２０ａおよび２０ｂを、互いに反対方向に突出するように構成する。これにより、第２部分２０ａおよび２０ｂを、第１部分１９の一方側のみに１つ設ける場合に比べて、効果的に影が表示部１上で視認されるのを抑制することができる。
【００７５】
また、第１実施形態では、上記のように、第１部分１９を、第１面１ａと平行な断面において、Ｘ軸と平行な方向の幅Ｗ２と、幅Ｗ２よりも小さく、Ｙ軸と平行な方向の厚みｔ１を有する形状である。また、第２部分２０ａおよび２０ｂ、Ｘ軸に平行な方向に突出する。これにより、第２部分２０ａおよび２０ｂの外縁１４ｃの幅ｔ２（厚みｔ２）を、第１部分１９の幅Ｗ２より小さく、かつ、第１部分１９の厚みｔ１よりも小さく形成することができる。これにより、外縁１４ｃの幅ｔ２が小さくなる分、影が表示部１上で視認されるのを抑制することができる。また、第１部分１９の幅Ｗ２を比較的大きくすることにより、第１部分１９の強度を比較的大きくすることができる。その結果、第１部分１９（パネルポスト１３）の強度を確保しながら、影が表示部１上で視認されるのを抑制することができる。
【００７６】
また、第１実施形態では、上記のように、第１部分１９を、第１面１ａと平行な断面において、矩形形状に形成する。これにより、点光源２からの光は、第１部分１９を透過することにより略屈折されないので、光が第１部分１９により屈折されることに起因する拡散板１１上の光量のばらつきを抑制することができる。その結果、点光源２からの光がパネルポスト１３に照射されることに起因する影が、表示部１上で視認されるのを、確実に抑制することができる。
【００７７】
また、第１実施形態では、上記のように、第２部分２０ａおよび２０ｂを、第１面１ａと平行な断面において、矩形形状に形成する。これにより、点光源２からの光は、第２部分２０ａおよび２０ｂを透過することにより略屈折されないので、光が第２部分２０ａおよび２０ｂにより屈折されることに起因する拡散板１１上の光量のばらつきを抑制することができる。その結果、点光源２からの光がパネルポスト１３に照射されることに起因する影が、表示部１上で視認されるのを、より確実に抑制することができる。
【００７８】
また、第１実施形態では、上記のように、第２部分２０ａおよび２０ｂを、拡散板１１から距離Ｄ４の範囲以内に設ける。ここで、点光源２からの光がパネルポスト１３に照射されることに起因する影は、拡散板１１上のパネルポスト１３の近傍において生じる場合が多い。すなわち、点光源２からの光がパネルポスト１３の比較的拡散板１１側に入光してパネルポスト１３から出射した光によって生じた影が視認される場合が多い。この点を考慮して、第１実施形態では、第２部分２０ａおよび２０ｂを、拡散板１１から距離Ｄ４の範囲以内に設けることにより、拡散板１１上で比較的影が生じやすい部分において影が生じるのを抑制することができるので、点光源２からの光がパネルポスト１３に照射されることに起因する影が、表示部１上で視認されるのを、効果的に抑制することができる。
【００７９】
また、第１実施形態では、上記のように、第１部分１９と第２部分２０ａおよび２０ｂとを、段差２１ａ〜２１ｄを介して接続する。これにより、第１部分１９と第２部分２０ａおよび２０ｂとが滑らかに曲線状に接続される場合と異なり、点光源２からの光がパネルポスト１３に入光する角度とパネルポスト１３から出射する角度とを略同一にすることができる。これにより、点光源２からの光は、パネルポスト１３を透過することにより屈折されないので、光がパネルポスト１３により屈折されることに起因する拡散板１１上の光量のばらつきを抑制することができる。その結果、点光源２からの光がパネルポスト１３に照射されることに起因する影が、表示部１上で視認されるのをより抑制することができる。
【００８０】
また、第１実施形態では、上記のように、段差２１ａ〜２１ｄを、平板部１４の平板面１４ａおよび１４ｂの両方に設ける。これにより、段差（段差２１ａ〜２１ｄ）を平板部１４の平板面１４ａおよび１４ｂとの両方に設けることにより、段差１つあたりの幅Ｗ７を比較的小さくすることができる。その結果、パネルポスト１３に入光した光が段差２１ａ〜２１ｄの内面に反射されて、パネルポスト１３に照射されることによって影が生じる場合に、段差（段差２１ａ〜２１ｄ）の幅Ｗ７を小さくすることができる分、段差に起因する影が小さくなるので、表示部１上で段差に起因する影が視認されるのをより抑制することができる。
【００８１】
また、第１実施形態では、上記のように、第２部分２０ａおよび２０ｂを、平板部１４のうちの少なくとも拡散板１１側（矢印Ｙ１方向側）に設ける。ここで、点光源２からの光がパネルポスト１３に照射されることに起因する影は、拡散板１１上のパネルポスト１３の近傍（領域Ｒの範囲内）（図１１参照）において生じる場合が多い。すなわち、点光源２からの光がパネルポスト１３の比較的拡散板１１側（拡散板１１から距離Ｄ３の範囲内）に入光して出射した光によって生じた影が視認される場合が多い。この点を考慮して、第１実施形態では、第２部分２０ａおよび２０ｂを、平板部１４のうちの少なくとも拡散板１１側に設けることにより、拡散板１１上で比較的影が生じやすい部分において影が生じるのを抑制することができるので、点光源２からの光がパネルポスト１３に照射されることに起因する影が、表示部１上で視認されるのを、効果的に抑制することができる。
【００８２】
また、第１実施形態では、上記のように、平板部１４の平板面１４ａおよび１４ｂにおいて、第２部分２０ａおよび２０ｂを、第１部分１９を挟むように設ける。これにより、容易に、第１部分１９を、拡散板１１側（矢印Ｙ１方向側）から見て平板部１４の中央部に設けることができるとともに、第２部分２０ａおよび２０ｂを、平板部１４の外縁１４ｃの近傍に設けることができる。
【００８３】
また、第１実施形態では、上記のように、第２部分２０ａおよび２０ｂを、略一定の幅（幅Ｗ５および幅Ｗ６）を有した状態で、平板部１４の外縁１４ｃに沿って設ける。これにより、第２部分２０ａおよび２０ｂを、平板部１４の外縁１４ｃに沿って設けることにより、パネルポスト１３の側端面２０ｃおよび２０ｄの内側の面（外縁１４ｃ近傍の面）で反射される光の量を、より確実に小さくすることができる。その結果、拡散板１１上で、光がパネルポスト１３の側端面２０ｃおよび２０ｄの内側の面で反射されることに起因して光量が小さくなり影が生じるのを、より確実に抑制することができる。
【００８４】
[第２実施形態]
次に、図１６〜図１８を参照して、第２実施形態による液晶テレビジョン装置２００の構成について説明する。第２実施形態では、液晶テレビジョン装置２００のパネルポスト２１３は、第１部分２１９は、略一定の幅（幅Ｗ１１）を有した状態で、平板部２１４の中央部に拡散板１１の表面と直交する方向（Ｙ方向）に延びるように設けられている。なお、液晶テレビジョン装置２００は、特許請求の範囲の「表示装置」の一例である。なお、上記第１実施形態と同一の構成については、同じ符号を付してその説明を省略する。
【００８５】
（第２実施形態による表示装置の構成）
図１６に示すように、第２実施形態による液晶テレビジョン装置２００は、パネルポスト２１３を含む。なお、パネルポスト２１３は、特許請求の範囲の「突起部」および「突出部」の一例である。
【００８６】
パネルポスト２１３は、平板部２１４を含む。そして、平板部２１４は、Ｚ方向に厚みｔ１１を有し、第１部分２１９と、第２部分２２０ａおよび２２０ｂと、下部平板部２２２とを含む。なお、平板部２１４は、特許請求の範囲の「突起部」および「突出部」の一例である。また、第１部分２１９は、特許請求の範囲の「突起部」の一例である。また、第２部分２２０ａおよび２２０ｂは、特許請求の範囲の「突出部」の一例である。
【００８７】
ここで、第２実施形態では、第１部分２１９は、Ｘ方向に略一定の幅（幅Ｗ１１）を有した状態で、矢印Ｚ２方向側から見て、平板部２１４のＸ方向の中央部に拡散板１１の表面（ＸＺ平面と平行な平面）と直交する方向（Ｙ方向）に延びるように設けられている。
【００８８】
第１部分２１９は、Ｚ方向に厚みｔ１１を有し、平板部２１４の矢印Ｙ１方向側に設けられ、頂部１８の矢印Ｙ２方向側に接続されている。
【００８９】
第２部分２２０ａおよび２２０ｂは、厚みｔ１１よりも小さい厚みである厚みｔ１２を有し、Ｘ方向において、第１部分２１９を挟むように設けられている。すなわち、第２部分２２０ａは、平板部２１４において、第１部分２１９の矢印Ｘ１方向側に配置されており、第２部分２２０ｂは、平板部２１４において、第１部分２１９の矢印Ｘ２方向側に配置されている。
【００９０】
また、図１７に示すように、第２部分２２０ａおよび２２０ｂは、それぞれ、Ｘ方向に幅Ｗ１２を有するとともに、第２部分２２０ａおよび２２０ｂの矢印Ｙ１方向側は、矢印Ｙ１方向に向かってＸ方向の幅が幅Ｗ１２から徐々に小さくなるように形成されている。そして、頂部１８から第２部分２２０ａおよび２２０ｂの矢印Ｙ２方向側の端部までの距離Ｄ１１は、上記した点Ｃ１と拡散板１１との間のＹ方向の距離である距離Ｄ３よりも大きい。
【００９１】
下部平板部２２２は、平板部２１４の第１部分２１９と第２部分２２０ａおよび２２０ｂとの矢印Ｙ２方向側に設けられており、Ｘ方向に幅Ｗ１３を有するとともに、Ｚ方向に厚みｔ１１を有するように構成されている。
【００９２】
また、第２実施形態による液晶テレビジョン装置２００のその他の構成は、第１実施形態における液晶テレビジョン装置１００と同様である。
【００９３】
（比較例による表示装置との比較結果）
次に、図１３および図１８を参照して、第２実施形態による液晶テレビジョン装置２００と比較例による表示装置との拡散板上における影の生じ具合の比較に関する実験結果について説明する。
【００９４】
比較例による表示装置は、上記した比較例による表示装置と同様に構成した。そして、パネルポストを４つの点光源から距離Ｄ２の位置に配置した状態で、点光源を点灯して、拡散板上に生じる影の生じ具合を目視により観察する実験を行った。
【００９５】
実験の結果、図１３に示すように、比較例による表示装置では、４つの点光源からパネルポストに照射される方向に向かって、領域Ｒ内で、パネルポストから広がるように４つの影が観測された。なお、図１３は、実験の際に拡散板上に生じた影の様子を模式的に示した（ハッチングにより示した）図である。
【００９６】
また、図１８に示すように、第２実施形態による液晶テレビジョン装置２００においても、拡散板１１上に生じる影の生じ具合を目視により観察する実験を行った。
【００９７】
実験の結果、第２実施形態による液晶テレビジョン装置２００では、４つの点光源２からパネルポスト２１３に照射される方向に向かって、領域Ｒ内で、４つの影が観測されたものの比較例による表示装置において生じた影よりも、細い影が生じた。なお、図１８は、実験の際に拡散板１１上に生じた影の様子を模式的に示した（ハッチングにより示した）図である。
【００９８】
以上の結果、第２実施形態による液晶テレビジョン装置２００では、比較例による表示装置に比べて、点光源２からの光がパネルポスト２１３に照射されることに起因する影が、拡散板１１上（表示部１上）で視認されるのが抑制されることが判明した。なお、第２実施形態による液晶テレビジョン装置２００では、影を細くすることができるので、光学部材（光学シート）にレンズシート等を含む場合には、より影が視認しにくくなるので、この場合、より効果的であると考えられる。
【００９９】
なお、第２実施形態による液晶テレビジョン装置２００においても、第１実施形態による液晶テレビジョン装置１００と同様に、比較例による表示装置に比べて、影が分散される（図１５参照）ことにより、影の総量としては、比較例による表示装置と同じであっても、拡散板１１上（表示部１上）では、薄い影（細い影）になる。
【０１００】
[第２実施形態の効果]
第２実施形態では、以下のような効果を得ることができる。
【０１０１】
第２実施形態では、上記のように、第１部分２１９を、略一定の幅（幅Ｗ１１）を有した状態で、平板部２１４の中央部に拡散板１１の表面と直交する方向（Ｙ方向）に延びるように設ける。これにより、第１部分２１９が略一定の幅（Ｗ１１）を有するので、第１部分２１９により拡散板１１を支持するためのパネルポスト２１３の強度を最低限確保した状態で、第２部分２２０ａおよび２２０ｂにより光がパネルポスト２１３の側端面の内側の面で反射されることに起因する拡散板１１上の影が生じるのを抑制することができる。
【０１０２】
また、第２実施形態による液晶テレビジョン装置２００のその他の効果は、第１実施形態における液晶テレビジョン装置１００と同様である。
【０１０３】
[第３実施形態]
次に、図１９を参照して、第３実施形態による液晶テレビジョン装置３００の構成について説明する。第３実施形態による液晶テレビジョン装置３００のパネルポスト３１３には、第１部分２１９と第２部分３２０ａおよび３２０ｂとの間に設けられる第３部分３２１ａおよび３２１ｂを含む。なお、液晶テレビジョン装置３００は、特許請求の範囲の「表示装置」の一例である。なお、上記第１実施形態または上記第２実施形態と同一の構成については、同じ符号を付してその説明を省略する。
【０１０４】
（第３実施形態による表示装置の構成）
図１９に示すように、第３実施形態による液晶テレビジョン装置３００は、パネルポスト３１３を含む。なお、パネルポスト３１３は、特許請求の範囲の「突起部」の一例である。
【０１０５】
パネルポスト３１３は、平板部３１４を含む。そして、平板部３１４は、厚みｔ１１を有する第１部分２１９と、それぞれ厚みｔ２１を有する第２部分３２０ａおよび３２０ｂと、それぞれ厚みｔ２２を有する第３部分３２１ａおよび３２１ｂとを含む。なお、平板部３１４は、特許請求の範囲の「突起部」および「突出部」の一例である。また、第２部分３２０ａおよび３２０ｂは、特許請求の範囲の「突出部」の一例である。また、第３部分３２１ａおよび３２１ｂは、特許請求の範囲の「突出部」の一例である。
【０１０６】
ここで、第３実施形態では、第３部分３２１ａおよび３２１ｂの厚みｔ２２は、第１部分２１９の厚みｔ１１よりも小さな厚みで、かつ、第２部分３２０ａおよび３２０ｂの厚みｔ２１よりも大きな厚みである。すなわち、ｔ１１、ｔ２１およびｔ２２は、ｔ２１＜ｔ２２＜ｔ１１の関係を有する。
【０１０７】
また、第３部分３２１ａおよび３２１ｂは、Ｘ方向において、第１部分２１９を挟むように設けられている。すなわち、第３部分３２１ａは、平板部３１４において、第１部分２１９の矢印Ｘ１方向側に配置されており、第３部分３２１ｂは、平板部３１４において、第１部分２１９の矢印Ｘ２方向側に配置されている。また、第３部分３２１ｂと第１部分２１９とは、段差３２２ａを介して接続されている。
【０１０８】
第２部分３２０ａおよび３２０ｂは、Ｘ方向において、第３部分３２１ａおよび３２１ｂを挟むように設けられている。すなわち、第２部分３２０ａは、平板部３１４において、第３部分３２１ａの矢印Ｘ１方向側に配置されており、第２部分３２０ｂは、平板部３１４において、第３部分３２１ｂの矢印Ｘ２方向側に配置されている。すなわち、第３部分３２１ａおよび３２１ｂは、第１部分２１９と第２部分３２０ａおよび３２０ｂとの間に設けられている。また、第２部分３２０ｂと第２部分３２０ｂとは、段差３２２ｂを介して接続されている。そして、第２部分３２０ｂは、矢印Ｘ２方向側に側端面３２３を有する。
【０１０９】
これにより、第２部分３２０ａおよび３２０ｂは、第１部分２１９、および、第３部分３２１ａおよび３２１ｂよりも厚みが小さく構成されており、側端面３２３の幅（厚みｔ２２と等しい大きさ）を比較的小さくすることができるので、拡散板１１上に影が生じるのを抑制することが可能である。
【０１１０】
また、第３実施形態による液晶テレビジョン装置３００のその他の構成は、第１実施形態における液晶テレビジョン装置１００と同様である。
【０１１１】
[第３実施形態の効果]
第３実施形態では、以下のような効果を得ることができる。
【０１１２】
第３実施形態では、上記のように、パネルポスト３１３を、第１部分２１９と第２部分３２０ａおよび３２０ｂとの間に設けられ、厚みｔ１１よりも小さな厚みで、かつ、厚みｔ２１よりも大きな厚みである厚みｔ２２を有する第３部分３２１ａおよび３２１ｂを含む。これにより、第１部分２１９と第２部分３２０ａおよび３２０ｂとを１つの段差を設けて接続する場合と異なり、第１部分２１９と第３部分３２１ａおよび３２１ｂとの間、および、第２部分３２０ａおよび３２０ｂと第３部分３２１ａおよび３２１ｂとの間のそれぞれに段差（段差３２２ａおよび３２２ｂ）を設けることができる。この結果、パネルポスト３１３に入光した光が段差３２２ａおよび３２２ｂの内面に反射されて、パネルポスト３１３に照射されることによって影が生じる場合に、段差（段差３２２ａおよび３２２ｂ）１つあたりの大きさを小さくすることができる分、段差に起因する影が小さくなるので、表示部１上で段差に起因する影が視認されるのをさらに抑制することができる。
【０１１３】
また、第３実施形態による液晶テレビジョン装置３００のその他の効果は、第１実施形態における液晶テレビジョン装置１００と同様である。
【０１１４】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１５】
たとえば、上記第１〜第３実施形態では、表示装置として、液晶テレビジョン装置を用いる例を示したが、本発明はこれに限らない。たとえば、表示装置として液晶テレビジョン装置以外を用いてもよい。たとえば、ＰＣ（Ｐｅｒｓｏｎａｌ  Ｃｏｍｐｕｔｅｒ）用の表示装置などの一般的な表示装置に用いてもよい。
【０１１６】
また、上記第１〜第３実施形態では、第１部分と第２部分との間に配置される段差を、一方平板面側と他方平板面側との両方に設けるように構成する例を示したが、本発明はこれに限られない。たとえば、第１部分と第２部分との間に配置される段差を、一方平板面側のみに設けるように構成してもよい。
【０１１７】
また、上記第１〜第３実施形態では、パネルポストに、頂部を設けるように構成する例を示したが、本発明はこれに限られない。たとえば、パネルポストに、頂部を設けずに、平板部と拡散板とを接触するように構成してもよい。
【０１１８】
また、上記第１〜第３実施形態では、傾斜面を平面として構成する例を示したが、本発明はこれに限られない。たとえば、傾斜面を曲面として構成してもよい。
【０１１９】
また、上記第１〜第３実施形態では、パネルポストの構成の例を示したが、本発明はこれに限られない。本発明では、図２０〜図２６に示す第１変形例〜第７変形例によるパネルポスト（４１３、５１３、６１３、７１３、８１３、９１３、１０１３）のように構成してもよい。なお、本願明細書では、第１部分の幅が一定の大きさでない場合には、第１方向の中央部近傍の幅を、第１部分の幅として記載して、第２部分の幅が一定の大きさでない場合には、第２部分の幅の平均値を、第２部分の幅として記載している。また、上記第１〜第３実施形態と同一の構成については、同じ符号を付してその説明を省略する。
【０１２０】
（第１変形例）
具体的には、図２０に示すように、第１〜第３実施形態の第１変形例によるパネルポスト４１３は、第１部分４１９と、第２部分２０ａおよび２０ｂとを含む。第１部分４１９は、矢印Ｚ２方向側の側面４１９ａと、矢印Ｚ１方向側の側面４１９ｂとを含む。そして、側面４１９ａは、矢印Ｚ２方向側に窪むように、弧状を有するように形成されている。また、側面４１９ｂは、矢印Ｚ１方向側に窪むように、弧状を有するように形成されている。そして、第１部分４１９は、中央部近傍において、Ｚ軸に平行な方向の幅（厚み）ｔ１０１を有する。また、第１部分４１９は、Ｘ軸に平行な方向の幅Ｗ１０１を有し、幅Ｗ１０１は、幅ｔ１０１よりも大きい。また、厚みｔ１０１は、厚みｔ２よりも大きい。
【０１２１】
（第２変形例）
また、図２１に示すように、第１〜第３実施形態の第２変形例によるパネルポスト５１３は、第１部分１９と、第２部分５２０ａおよび５２０ｂとを含む。第２部分５２０ａおよび５２０ｂは、矢印Ｙ２方向側から見て、直角三角形形状を有するとともに、Ｘ軸と平行な方向に、第１部分１９の両側に設けられている。また、第２部分５２０ａおよび５２０ｂは、それぞれ三角形形状の一辺（三角柱形状の一側面）が、第１部分１９に接続されている。また、Ｚ軸と平行な方向において、第１部分１９に接続されている第２部分５２０ａおよび５２０ｂの三角形形状の一辺の長さＬ１０１は、第１部分１９の厚みｔ１よりも小さい。そして、Ｚ軸と平行な方向において、第２部分５２０ａおよび５２０ｂの幅（厚み）の平均値は、厚みｔ２０２である。そして、厚みｔ２０２は、厚みｔ１よりも小さい。
【０１２２】
すなわち、第２変形例によるパネルポスト５１３の第２部分５２０ａおよび５２０ｂは、突出方向に垂直な方向の厚みが、厚みＬ１０１から厚みが０になるまで、突出方向に徐々に小さくなる形状を有する。これにより、第２部分５２０ａおよび５２０ｂの突出方向とは反対側の厚みＬ１０１を比較的大きく形成しながら、第２部分５２０ａおよび５２０ｂの突出方向側の厚みを比較的小さく形成することができるので、厚みの大きな突出方向とは反対側の第２部分５２０ａおよび５２０ｂの部分により、第２部分５２０ａおよび５２０ｂの強度を確保しながら、第２部分５２０ａおよび５２０ｂの突出方向の端部の厚み（幅）を小さくすることができる。その結果、第２部分５２０ａおよび５２０ｂの強度を確保しながら、影が表示部１上で視認されるのを抑制することができる。
【０１２３】
また、第２部分５２０ａは、側面５２１ａおよび５２１ｂを含み、第２部分５２０ｂは、側面５２１ｃおよび５２１ｄを含む。側面５２１ａおよび５２１ｃは、第１部分１９の一方表面１９ａに略平行に配置されている。また、側面５２１ｂおよび５２１ｄは、第１部分１９の一方表面１９ａに傾斜して配置されている。なお、図２１では、第１部分１９の一方側面１９ａを、矢印Ｚ２方向側に設ける例を示しているが、第１部分１９の一方側面１９ａを、矢印Ｚ１方向側に設けてもよい。
【０１２４】
（第３変形例）
また、図２２に示すように、第１〜第３実施形態の第３変形例によるパネルポスト６１３は、第１部分６１９と、第２部分５２０ａおよび５２０ｂとを含む。第２部分５２０ａおよび５２０ｂは、上記第２変形例によるパネルポスト５１３の第２部分５２０ａおよび５２０ｂと同様に構成されている。第１部分６１９は、矢印Ｙ２方向側から見て、Ｚ軸に平行な方向に厚みｔ３０１およびＸ軸に平行な方向に幅Ｗ３０１を有する略楕円形状を有するように形成されている。幅Ｗ３０１の大きさは、厚みｔ３０１よりも大きい。また、厚みｔ２０２は、厚みｔ３０１よりも小さい。
【０１２５】
（第４変形例）
また、図２３に示すように、第１〜第３実施形態の第４変形例によるパネルポスト７１３は、第１部分１９と、第２部分７２０ａおよび７２０ｂとを含む。第２部分７２０ａおよび７２０ｂは、矢印Ｙ２方向側から見て、長さＬ４０１を有する辺を有する略正三角形形状を有するとともに、Ｘ軸と平行な方向に、第１部分１９の両側に設けられている。また、第２部分７２０ａおよび７２０ｂは、それぞれ三角形形状の一辺が、第１部分１９に接続されている。また、Ｚ軸と平行な方向において、第１部分１９に接続されている第２部分７２０ａおよび７２０ｂの三角形形状の一辺の長さＬ４０１は、第１部分１９の厚みｔ１よりも小さい。そして、Ｚ軸と平行な方向において、第２部分７２０ａおよび７２０ｂの幅（厚み）の平均値は、厚みｔ４０２である。そして、厚みｔ４０２は、厚みｔ１よりも小さい。
【０１２６】
（第５変形例）
また、図２４に示すように、第１〜第３実施形態の第５変形例によるパネルポスト８１３は、第１部分１９と、第２部分８２０ａおよび８２０ｂとを含む。第２部分８２０ａおよび８２０ｂは、矢印Ｙ２方向側から見て、三角形形状を有するとともに、Ｘ軸と平行な方向に、第１部分１９の両側に設けられている。第２部分８２０ａおよび８２０ｂの第１部分１９側の辺は、長さｔ１を有する。また、第２部分８２０ａおよび８２０ｂは、Ｙ軸に平行な方向に、高さｈ５０１を有する。そして、高さｈ５０１の大きさは、第１部分１９の幅Ｗ２の大きさよりも小さい。そして、Ｚ軸と平行な方向において、第２部分８２０ａおよび８２０ｂの幅（厚み）の平均値は、厚みｔ５０２である。そして、厚みｔ５０２は、厚みｔ１よりも小さい。
【０１２７】
（第６変形例）
また、図２５に示すように、第１〜第３実施形態の第６変形例によるパネルポスト９１３は、第１部分６１９と、第２部分７２０ａおよび７２０ｂとを含む。第１部分６１９は、上記した第３変形例によるパネルポスト６１３の第１部分６１９と同様に構成されている。また、第２部分７２０ａおよび７２０ｂは、第４変形例によるパネルポスト７１３の第２部分７２０ａおよび７２０ｂと同様に構成されている。
【０１２８】
（第７変形例）
また、図２６に示すように、第１〜第３実施形態の第７変形例によるパネルポスト１０１３は、第１部分６１９ａおよび６１９ｂと、第２部分６２０ａおよび６２０ｂと、第３部分６２１ａおよび６２１ｂとを含む。第１部分６１９ａは、矢印Ｙ２方向側から見て、幅Ｗ４０１および厚みｔ６０２を有する矩形形状に形成されている。また、第１部分６１９ｂは、矢印Ｙ２方向側から見て、幅Ｗ４０１および厚みｔ６０３を有する矩形形状を有に形成されている。また、第１部分６１９ａおよび６１９ｂは、接続された状態で、厚みｔ６０１を有する。そして、幅Ｗ４０１の大きさは、厚みｔ６０１の大きさよりも大きい。
【０１２９】
また、第２部分６２０ａおよび６２０ｂは、厚みｔ６０４を有する。厚みｔ６０４は、厚みｔ６０１よりも小さく、かつ、厚みｔ６０２よりも小さい。そして、第２部分６２０ａは、第１部分６１９ａの矢印Ｘ１方向側に配置されている。また、第２部分６２０ｂは、第１部分６１９ａの矢印Ｘ２方向側に配置されている。
【０１３０】
また、第３部分６２１ａおよび６２１ｂは、Ｚ軸と平行な方向に幅（厚み）ｔ６０２を有する。そして、Ｘ軸に平行な方向において、第３部分６２１ａは、第１部分６１９ａと第２部分６２０ａとの間に挟まれて配置されており、第３部分６２１ｂは、第１部分６１９ｂと第２部分６２０ｂとの間に挟まれて配置されている。そして、第３部分６２１ａおよび６２１ｂは、第３部分６２１ａの矢印Ｘ１方向側の端部から第３部分６２１ｂの矢印Ｘ２方向側の端部まで、幅Ｗ４０２を有する。また、幅Ｗ４０２は、幅Ｗ４０１よりも大きい。
【０１３１】
（第８変形例）
また、上記第１〜第３実施形態では、点光源２を２列（８個×２列）に液晶テレビジョン装置１００（２００、３００）に配置する例を示したが、本発明は、これに限られない。すなわち、本発明では、点光源２を２列（８個×２列）以外の構成により液晶テレビジョン装置１００（２００、３００）に配置してもよい。たとえば、図２７に示す第８変形例による液晶テレビジョン装置１１００のように、点光源２を１列に配置してもよい。
【０１３２】
ここで、図２７に示すように、第１〜第３実施形態の第８変形例による液晶テレビジョン装置１１００には、１列に配置された複数（たとえば、４個）の点光源２が設けられている。また、矢印Ｚ１方向から見て、複数の点光源２のうちの点光源２０２ａと点光源３０２ａとの間にパネルポスト１３が配置されている。また、矢印Ｙ２方向側から見て、パネルポスト１３は、列状に配列された点光源２の矢印Ｚ２方向側に配置されている。この場合においても、液晶テレビジョン装置１１００では、上記第１〜第３実施形態の液晶テレビジョン装置１００と同様に、パネルポスト１３は、点光源２０２ａおよび点光源３０２ａからの光に起因する影を分散させることが可能である。
【０１３３】
（第９変形例）
また、上記第１〜第３実施形態では、矢印Ｚ１方向側から見て、パネルポスト１３（２１３、３１３）を、列状に配置された点光源２同士の間に配置する例を示したが、本発明は、これに限られない。たとえば、本発明では、図２８に示す第９変形例による液晶テレビジョン装置１２００のように、パネルポスト５１３を、矢印Ｚ１方向側から見て、点光源２（光学レンズ９）とオーバーラップするように配置してもよい。
【０１３４】
ここで、図２８に示すように、第１〜第３実施形態の第９変形例による液晶テレビジョン装置１２００には、１列に配置された複数（たとえば、４個）の点光源２が設けられている。また、矢印Ｚ１方向から見て、複数の点光源２のうちの点光源２ａと、パネルポスト５１３とは、オーバーラップするように配置されている。なお、パネルポスト５１３は、上記の第２変形例のパネルポスト５１３と同様に構成されている。この場合においても、液晶テレビジョン装置１２００では、上記第１〜第３実施形態の液晶テレビジョン装置１００と同様に、パネルポスト５１３は、点光源２０２ａおよび点光源３０２ａからの光に起因する影を分散させることが可能である。なお、パネルポスト５１３を用いることにより、パネルポスト１３を用いる場合に比べて、パネルポスト５１３の第２部分５２０ａおよび５２０ｂに起因する影の発生が抑制されるので、特に効果的である。
【符号の説明】
【０１３５】
１  表示部
２、１０２ａ、２０２ａ、３０２ａ  点光源（光源部）
２ａ  最近接点光源（光源部）
３  前側筐体（筐体）
５  リアフレーム（筐体、底面部）
９  光源レンズ（光源部）
１１  拡散板（光学部材）
１２  偏光フィルム（光学部材）
１３、２１３、３１３、４１３、５１３、６１３、７１３、８１３、９１３、１０１３  パネルポスト（突起部、突出部）
１９、２１９、４１９、６１９、６１９ａ、６１９ｂ  第１部分（突起部）
２０ａ、２０ｂ、２２０ａ、２２０ｂ、３２０ａ、３２０ｂ、５２０ａ、５２０ｂ、６２０ａ、６２０ｂ、７２０ａ、７２０ｂ、８２０ａ、８２０ｂ  第２部分（突出部）
１００、２００、３００、１１００、１２００  液晶テレビジョン装置（表示装置）
３２１ａ、３２１ｂ、６２１ａ、６２１ｂ  第３部分（突出部）
【図１】
2017083541.tif 000003
【図２】
2017083541.tif 000004
【図３】
2017083541.tif 000005
【図４】
2017083541.tif 000006
【図５】
2017083541.tif 000007
【図６】
2017083541.tif 000008
【図７】
2017083541.tif 000009
【図８】
2017083541.tif 000010
【図９】
2017083541.tif 000011
【図１０】
2017083541.tif 000012
【図１１】
2017083541.tif 000013
【図１２】
2017083541.tif 000014
【図１３】
2017083541.tif 000015
【図１４】
2017083541.tif 000016
【図１５】
2017083541.tif 000017
【図１６】
2017083541.tif 000018
【図１７】
2017083541.tif 000019
【図１８】
2017083541.tif 000020
【図１９】
2017083541.tif 000021
【図２０】
2017083541.tif 000022
【図２１】
2017083541.tif 000023
【図２２】
2017083541.tif 000024
【図２３】
2017083541.tif 000025
【図２４】
2017083541.tif 000026
【図２５】
2017083541.tif 000027
【図２６】
2017083541.tif 000028
【図２７】
2017083541.tif 000029
【図２８】
2017083541.tif 000030